(57)【要約】      （修正有）【課題】植毛される毛がより全面的に歯の表面に接触し得るようにすることにより、歯の清潔効果を向上させる歯ブラシヘッドを提供する。【解決手段】植毛部材１０と、保持部材とを有し、植毛部材は、複数のロッド状基材と、複数のロッド状基材に配置される複数の植毛孔１０Ａとを有し、隣同士のロッド状基材の間に、該隣同士のロッド状基材を連結させる連結部１０Ｂが設けられ、保持部材は、植毛部材の複数のロッド状基材をそれぞれ収容する複数の収容空間を有することを特徴とする。【選択図】図１Ａ
0003200687.tif 000002
【実用新案登録請求の範囲】
【請求項１】
植毛部材と、保持部材とを有し、
前記植毛部材は、複数のロッド状基材と、前記複数のロッド状基材に配置される複数の植毛孔とを有し、隣同士のロッド状基材の間に、該隣同士のロッド状基材を連結させる連結部が設けられ、
前記保持部材は、前記植毛部材の複数のロッド状基材をそれぞれ収容する複数の収容空間を有することを特徴とする歯ブラシヘッド。
【請求項２】
前記植毛部材は、７つの基材を有することを特徴とする請求項１に記載の歯ブラシヘッド。
【請求項３】
前記植毛部材は、前端と、後端と、該前端と後端との中間に位置する中央部と、前記前端と前記後端とを連結する延伸方向とを有し、各ロッド状基材は、それぞれ該植毛部材の延伸方向と直交する長さを有し、前記複数のロッド状基材の長さは、該中央部から、それぞれ前記前端または後端へ行くほど小さくなることを特徴とする請求項１に記載の歯ブラシヘッド。
【請求項４】
前記歯ブラシヘッドは、長軸を有し、
前記植毛部材は、前記歯ブラシヘッドの長軸に平行の長手方向と、左側と、右側と、該左側と右側の中間に位置する中央部とを有し、
各ロッド状基材は、それぞれ該植毛部材の長手方向に平行する長さを有し、前記複数のロッド状基材の長さは、該植毛部材の中央部から、それぞれ前記左側または前記右側へ行くほど小さくなることを特徴とする請求項１に記載の歯ブラシヘッド。
【請求項５】
前記植毛穴は、円形、多辺形、十字形、星形、ハート形及び楕円形からなる群より選択される形状を呈することを特徴とする請求項１に記載の歯ブラシヘッド。
【請求項６】
前記保持部材は、前記植毛部材における隣同士のロッド状基材の間、該植毛部材の底面及び外部周辺に形成されるものであることを特徴とする請求項１ないし請求項５のいずれか一項に記載の歯ブラシヘッド。
【請求項７】
前記植毛部材は、硬質材料からなるものであることを特徴とする請求項６に記載の歯ブラシヘッド。
【請求項８】
前記保持部材は、軟質材料からなるものであることを特徴とする請求項６に記載の歯ブラシヘッド。
【考案の詳細な説明】
【技術分野】
【０００１】
本考案は、特に硬質材料からなる植毛部材と、該植毛部材の底部に形成される軟質材料からなる保持部材とを備える歯ブラシヘッドに関するものである。
【背景技術】
【０００２】
従来の歯ブラシヘッドは、硬質材料からなる植毛部材を有するものである。
【考案の概要】
【考案が解決しようとする課題】
【０００３】
しかしながら、従来の歯ブラシヘッドの設計では、歯磨き中、該歯ブラシヘッドの基材に植毛された毛が歯に当たっても、変形し難い硬直な形態のままであり、歯の表面に衝突してしまうので、歯の表面の一部に接触することができず、歯の表面を全面的に清潔することができなくなる。前記歯の表面における歯ブラシヘッドの毛が接触できない部分に、汚れが付着したり歯垢の蓄積が始まるので、歯科疾病の発生に繋がる。
【０００４】
よって、前記従来の歯ブラシヘッドの設計上の問題の解決、並びに植毛される毛がより全面的に歯の表面に接触し、それを清潔することができる歯ブラシヘッドの開発が、本考案の属する技術の分野における重要な課題になる。
【０００５】
そこで、案出されたのが本考案であって、上述した従来の技術の問題を解決し、植毛される毛がより全面的に歯の表面に接触し得るようにすることにより、歯の清潔効果を向上させる歯ブラシヘッドを提供することを目的としている。
【課題を解決するための手段】
【０００６】
本願の請求項１の考案は、植毛部材と、保持部材とを有し、
前記植毛部材は、複数のロッド状基材と、前記複数のロッド状基材に配置される複数の植毛孔とを有し、隣同士のロッド状基材の間に、該隣同士のロッド状基材を連結させる連結部が設けられ、
前記保持部材は、前記植毛部材の複数のロッド状基材をそれぞれ収容する複数の収容空間を有することを特徴とする歯ブラシヘッド、を提供する。
【０００７】
本願の請求項２の考案は、前記植毛部材は、７つの基材を有することを特徴とする請求項１に記載の歯ブラシヘッド、を提供する。
【０００８】
本願の請求項３の考案は、前記植毛部材は、前端と、後端と、該前端と後端との中間に位置する中央部と、前記前端と前記後端とを連結する延伸方向とを有し、各ロッド状基材は、それぞれ該植毛部材の延伸方向と直交する長さを有し、前記複数のロッド状基材の長さは、該中央部から、それぞれ前記前端または後端へ行くほど小さくなることを特徴とする請求項１に記載の歯ブラシヘッド、を提供する。
【０００９】
本願の請求項４の考案は、前記歯ブラシヘッドは、長軸を有し、
前記植毛部材は、前記歯ブラシヘッドの長軸に平行の長手方向と、左側と、右側と、該左側と右側の中間に位置する中央部とを有し、
各ロッド状基材は、それぞれ該植毛部材の長手方向に平行する長さを有し、前記複数のロッド状基材の長さは、該植毛部材の中央部から、それぞれ前記左側または前記右側へ行くほど小さくなることを特徴とする請求項１に記載の歯ブラシヘッド、を提供する。
【００１０】
本願の請求項５の考案は、前記植毛穴は、円形、多辺形、十字形、星形、ハート形及び楕円形からなる群より選択される形状を呈することを特徴とする請求項１に記載の歯ブラシヘッド、を提供する。
【００１１】
本願の請求項６の考案は、前記保持部材は、前記植毛部材における隣同士のロッド状基材の間、該植毛部材の底面及び外部周辺に形成されるものであることを特徴とする請求項１ないし請求項５のいずれか一項に記載の歯ブラシヘッド、を提供する。
【００１２】
本願の請求項７の考案は、前記植毛部材は、硬質材料からなるものであることを特徴とする請求項６に記載の歯ブラシヘッド、を提供する。
【００１３】
本願の請求項８の考案は、前記保持部材は、軟質材料からなるものであることを特徴とする請求項６に記載の歯ブラシヘッド、を提供する。
【考案の効果】
【００１４】
本考案に係る歯ブラシヘッドを用いた歯ブラシで歯磨きする時、本考案に係る歯ブラシヘッドの植毛部材に植毛された毛を歯の表面に当てると、前記保持部材が毛の底部を固定させる植毛部材にプレッシャーをかける。該プレッシャーを受ける毛は、歯の外側に当てると内側へ向かう弧形を呈すると共に、歯の内側に当てると外側へ向かう弧形を呈するように、容易に弧状に変形する。このことから、歯と歯茎を傷めることを避けることができるのみならず、歯の表面における毛が接触することができる範囲が拡大され、歯と歯の歯間隙間をも容易に清潔することができるので、歯磨きの清潔が増大する。さらに、該軟性材料からなる保持部材は、歯を激しく磨いても、歯茎を傷めないものであり、歯茎を保護する効果が得られる。
【図面の簡単な説明】
【００１５】
【図１Ａ】本考案に係る歯ブラシヘッドの植毛部材の斜視図である。
【図１Ｂ】本考案に係る歯ブラシヘッドにおける前記植毛部材に成形される保持部材の斜視図である。
【図２】本考案に係る歯ブラシヘッドの斜視図である。
【図３】本考案に係る歯ブラシヘッドの平面断面図である。
【図４】本考案に係る歯ブラシヘッドの側面断面図である。
【図５】本考案に係る歯ブラシヘッドの使用状態を示す側面断面図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１Ａ、図１Ｂ及び図２に示すように、本考案に係る歯ブラシヘッドの実施例は、植毛部材１０と、前記植毛部材１０に形成される保持部材２０とを備える。図３に示すように、前記植毛部材１０は、複数のロッド状基材と、前記複数のロッド状基材に配置される複数の植毛孔１０Ａとを有する。前記植毛部材１０は、前端３０Ｂと、後端３０Ｃと、前記前端３０Ｂと後端３０Ｃの中間に位置する中央部３０Ａとを有する。図１Ａに示すように、隣同士のロッド状基材の間に、該隣同士のロッド状基材を連結させる連結部１０Ｂが設けられる。前記植毛孔１０Ａは、毛４０の植毛に供し、円形、多辺形、十字形、星形、ハート形および楕円形を含むがこれに限らない形状を呈する。本実施例において、前記植毛部材１０は、７つのロッド状基材からなる。
【００１８】
図１Ａ、図１Ｂ及び図４に示すように、前記保持部材２０は、底面２０２と、複数の収容空間２０１とを有する。前記複数の収容空間２０１は、前記植毛部材１０の複数のロッド状基材をそれぞれ収容する。図３に示すように、前記植毛部材１０は、前記前端３０Ｂと、前記後端３０Ｃとを連結する延伸方向を有すると共に、各ロッド状基材は、それぞれ該植毛部材１０の延伸方向と直交する長さを有する。前記複数のロッド状基材の長さは、該植毛部材１０の中央部３０Ａから、それぞれ前記前端３０Ｂまたは前記後端３０Ｃへ行くほど小さくなる。具体的に言えば、本実施例は、該中央部３０Ａに位置するロッド状基材は最大の長さを有し、該中央部３０Ａと前記前端３０Ｂとの間に、または該中央部３０Ａと前記後端３０Ｃとの間に位置するロッド状基材の長さは、該中央部３０Ａに位置するロッド状基材の長さより小さいものである構成になる。
【００１９】
図４に示すように、前記保持部材２０が前記植毛部材１０に形成される後、前記毛４０がそれぞれ前記植毛部材１０の植毛孔１０Ａに植毛される。図３及び図５に示すように、本考案に係る歯ブラシヘッドを用いた歯ブラシを使用する時、該植毛部材１０の中央部３０Ａに位置するロッド状基材に植えた毛４０は、歯の表面と直交する角度を維持しながら歯の清潔を行い、該植毛部材１０の中央部３０Ａと前端３０Ｂとの間及び中央部３０Ａと後端３０Ｃとの間に位置するロッド状基材に植えた毛４０は、前記保持部材２０が毛４０の底部を固定させる植毛部材１０にかけるプレッシャーにより、弧形を呈するようになるので、前記毛４０は歯５０及び歯間隙間５０Ａを覆う扇形になるように分散する。歯５０における前記毛４０が接触することができる範囲が増大されることにより、前記毛４０は歯間隙間５０Ａにまで届き、該歯間隙間５０Ａを清潔することができるようになるので、虫歯などの歯科疾病のリスクを低減させることに繋がる。
【００２０】
図５に示すように、本考案に係る他の実施例において、前記植毛部材１０および前記保持部材２０は共に二次射出または3Dプリントなどの造形技術により二種類の材料からなる構成を有するものである。また、前記保持部材２０は、前記植毛部材１０における隣同士のロッド状基材の間、該植毛部材１０の底面及び外部周辺に形成されるものである。この実施例に係る歯ブラシヘッドを用いた歯ブラシは、前記植毛部材が硬質材料からなるものであると共に、前記保持部材２０が軟質材料からなるものである。前記毛４０が歯５０に接触し、歯５０の表面にプレッシャーをかけると、該軟質材料からなる保持部材２０が該硬質材料からなる植毛部材１０にかけるプレッシャーが該植毛部材１０および保持部材２０を弧形を呈するように湾曲させるので、該植毛部材１０に植えた毛４０は歯５０及び歯間隙間５０Ａを覆う扇形になるように分散し、歯５０における前記毛４０が接触し得る範囲が増大される。これにより、毛４０は歯間隙間５０Ａにまで届き、該歯間隙間５０Ａを清潔することができるようになるので、虫歯などの歯科疾病のリスクを低減させることに繋がる。さらに、該軟性材料からなる保持部材は、歯磨き中歯にかけるプレッシャーを柔らかくし、歯を激しく磨いても、歯茎を傷めないので、歯茎を保護することができる。
【００２１】
本考案に係る他の好ましい実施例において、前記植毛部材は、複数のロッド状基材と、前記複数のロッド状基材に配置される複数の植毛孔と、本実施例に係る歯ブラシヘッドの長軸に平行の長手方向と、左側と、右側と、該左側と右側の中間に位置する中央部とを有する。また、隣同士のロッド状基材の間に、該隣同士のロッド状基材を連結させる連結部が設けられる。各ロッド状基材は、それぞれ該植毛部材の長手方向に平行する長さを有する。前記複数のロッド状基材の長さは、該植毛部材の中央部から、それぞれ前記左側または前記右側へ行くほど小さくなる。具体的に言えば、本実施例は、該中央部に位置するロッド状基材は最大の長さを有し、該中央部と前記左側の間または該中央部と前記右側の間に位置するロッド状基材の長さは、該中央部に位置するロッド状基材の長さより小さいものである構成になる。本実施例は、上述した実施例とほぼ同様の効果を発揮することができる。即ち、本実施例に係る歯ブラシヘッドを用いた歯ブラシを使用する時、該植毛部材の中央部に位置するロッド状基材に植えた毛は、歯の表面と直交する角度を維持しながら歯の清潔を行い、該植毛部材の中央部と左側との間におよび該中央部と右側との間に位置するロッド状基材に植えた毛は、前記保持部材が毛の底部を固定させる植毛部材にかけるプレッシャーにより、弧形を呈するようになるので、歯における前記毛が接触することができる範囲が増大されることにより、前記毛は歯間隙間にまで届き、該歯間隙間を清潔することができるようになるので、虫歯などの歯科疾病のリスクを低減させることに繋がる。
【産業上の利用可能性】
【００２２】
本考案は上記の構成を有するので、植毛される毛がより全面的に歯の表面に接触し得るようにすることにより、歯の清潔効果を向上させる歯ブラシヘッドを提供することができる。
【符号の説明】
【００２３】
１０    植毛部材
１０Ａ  植毛孔
１０Ｂ  連結部
２０    保持部材
２０１  収容空間
２０２  底面
３０Ａ  中央部
３０Ｂ  前端
３０Ｃ  後端
４０    毛
５０    歯
５０Ａ  歯間隙間
【図１Ａ】
0003200687.tif 000003
【図１Ｂ】
0003200687.tif 000004
【図２】
0003200687.tif 000005
【図３】
0003200687.tif 000006
【図４】
0003200687.tif 000007
【図５】
0003200687.tif 000008